【手続補正書】
【提出日】平成19年7月27日(2007.7.27)
【手続補正１】
【補正対象書類名】明細書
【補正対象項目名】特許請求の範囲
【補正方法】変更
【補正の内容】
【特許請求の範囲】    
【請求項１】
複数のユーザ端末と、該複数のユーザ端末とネットワークを介して接続されたサーバ装置と、から構成される電子モールシステムであって、
前記ユーザ端末は、
使用カテゴリを含むアプリケーション検索要求を前記ネットワークを介して前記サーバ装置に送信する手段と、
前記サーバ装置から複数のアプリケーション選択画面を前記ネットワークを介して受信する手段と、
第１のアプリケーション実行要求を前記ネットワークを介して前記サーバ装置に送信する手段と、
前記第１のアプリケーションとデータ共用できる第２のアプリケーションの実行要求を前記ネットワークを介して前記サーバ装置に送信する手段と、を有し、
前記サーバ装置は、
複数のアプリケーションサービスプロバイダと、該アプリケーションサービスプロバイダが提供する複数のアプリケーションと、該アプリケーションの使用料金と、該アプリケーションの使用カテゴリとを対応付けて記憶するアプリケーションサービスプロバイダ登録データベースと、
前記ユーザ端末から、前記ネットワークを介して前記使用カテゴリを含むアプリケーション検索要求を受信する手段と、
前記受信した使用カテゴリに基づき、前記アプリケーションサービスプロバイダ登録データベースを検索する手段と、
該当する複数のアプリケーション選択画面を前記ユーザ端末に送信する手段と、
前記ユーザ端末から前記第１のアプリケーション実行要求を受信すると、該第１のアプリケーションを実行すると共に利用時刻管理ファイルに該実行開始時刻を前記第１のアプリケーションと対応づけて記録する手段と、
他のアプリケーションの実行要求を前記ユーザ端末から受信したかどうかをチェックする手段と、
前記ユーザ端末から該第１アプリケーションとデータ共有できる前記第２のアプリケーション実行要求を受信すると、該第２のアプリケーションを実行すると共に前記利用時刻管理ファイルに該実行開始時刻を前記第２のアプリケーションと対応づけて記録する手段と、
前記ユーザ端末との回線が切断されたことを検出すると、前記利用時刻管理ファイルに前記第１のアプリケーション及び第２のアプリケーションの実行終了時刻を各々前記第１のアプリケーションと前記第２のアプリケーションに対応付けて記録する手段と、
前記第１、第２のアプリケーションについて前記利用時刻管理ファイルに記録された前記実行開始時刻と前記実行終了時刻からアプリケーション実行時間を算出し、該算出したアプリケーション実行時間と前記アプリケーションサービスプロバイダ登録データベースに記憶されている前記アプリケーションの使用料金とから各アプリケーションサービスプロバイダごとの利用金額及びユーザの利用金額を算出し、各アプリケーションサービスプロバイダとユーザに対して決済処理を行う手段と、を有する、
ことを特徴とする電子モールシステム。
【請求項２】
前記ユーザが前記アプリケーションの性能を試したい場合に、所定時間、該アプリケーションの利用料金を課金しないようにするベンチマーク手段をさらに有することを特徴とする請求項１に記載の電子モールシステム。
【請求項３】
複数のユーザ端末と、該複数のユーザ端末とネットワークを介して接続されたサーバ装置と、から構成される電子モールシステムにおけるアプリケーション実行方法であって、
前記ユーザ端末は、
使用カテゴリを含むアプリケーション検索要求を前記ネットワークを介して前記サーバ装置に送信し、
前記サーバ装置から複数のアプリケーション選択画面を前記ネットワークを介して受信し、
第１のアプリケーション実行要求を前記ネットワークを介して前記サーバ装置に送信し、
前記第１のアプリケーションとデータ共用できる第２のアプリケーションの実行要求を前記ネットワークを介して前記サーバ装置に送信し、
前記サーバ装置は、
前記ユーザ端末から、前記ネットワークを介して前記使用カテゴリを含むアプリケーション検索要求を受信し、
前記受信した使用カテゴリに基づき、複数のアプリケーションサービスプロバイダと、該アプリケーションサービスプロバイダが提供する複数のアプリケーションと、該アプリケーションの使用料金と、該アプリケーションの使用カテゴリとを対応付けて記憶するアプリケーションサービスプロバイダ登録データベースを検索し、
該当する複数のアプリケーション選択画面を前記ユーザ端末に送信し、
前記ユーザ端末から前記第１のアプリケーション実行要求を受信すると、該第１のアプリケーションを実行すると共に利用時刻管理ファイルに該実行開始時刻を前記第１のアプリケーションと対応づけて記録し、
他のアプリケーションの実行要求を前記ユーザ端末から受信したかどうかをチェックし、
前記ユーザ端末から該第１アプリケーションとデータ共有できる前記第２のアプリケーション実行要求を受信すると、該第２のアプリケーションを実行すると共に前記利用時刻管理ファイルに該実行開始時刻を前記第２のアプリケーションと対応づけて記録し、
前記ユーザ端末との回線が切断されたことを検出すると、前記利用時刻管理ファイルに前記第１のアプリケーション及び第２のアプリケーションの実行終了時刻を各々前記第１のアプリケーションと前記第２のアプリケーションに対応付けて記録し、
前記第１、第２のアプリケーションについて前記利用時刻管理ファイルに記録された前記実行開始時刻と前記実行終了時刻からアプリケーション実行時間を算出し、該算出したアプリケーション実行時間と前記アプリケーションサービスプロバイダ登録データベースに記憶されている前記アプリケーションの使用料金とから各アプリケーションサービスプロバイダごとの利用金額及びユーザの利用金額を算出し、各アプリケーションサービスプロバイダとユーザに対して決済処理を行う、
ことを特徴とするアプリケーション実行方法。
【請求項４】
複数のユーザ端末とネットワークを介して接続されたサーバ装置であって、
複数のアプリケーションサービスプロバイダと、該アプリケーションサービスプロバイダが提供する複数のアプリケーションと、該アプリケーションの使用料金と、該アプリケーションの使用カテゴリとを対応付けて記憶するアプリケーションサービスプロバイダ登録データベースと、
前記ユーザ端末から、前記ネットワークを介して前記使用カテゴリを含むアプリケーション検索要求を受信する受信インタフェースと、
前記受信した使用カテゴリに基づき前記アプリケーションサービスプロバイダ登録データベースを検索し、該当する複数のアプリケーション選択画面を前記ユーザ端末に送信し、前記ユーザ端末から第１のアプリケーション実行要求を受信すると、該第１のアプリケーションを実行すると共に利用時刻管理ファイルに該実行開始時刻を前記第１のアプリケーションと対応づけて記録し、他のアプリケーションの実行要求を前記ユーザ端末から受信したかどうかをチェックし、前記ユーザ端末から該第１アプリケーションとデータ共有できる第２のアプリケーション実行要求を受信すると、該第２のアプリケーションを実行すると共に前記利用時刻管理ファイルに該実行開始時刻を前記第２のアプリケーションと対応づけて記録し、前記ユーザ端末との回線が切断されたことを検出すると、前記利用時刻管理ファイルに前記第１のアプリケーション及び第２のアプリケーションの実行終了時刻を各々前記第１のアプリケーションと前記第２のアプリケーションに対応付けて記録し、前記第１、第２のアプリケーションについて前記利用時刻管理ファイルに記録された前記実行開始時刻と前記実行終了時刻からアプリケーション実行時間を算出し、該算出したアプリケーション実行時間と前記アプリケーションサービスプロバイダ登録データベースに記憶されている前記アプリケーションの使用料金とから各アプリケーションサービスプロバイダごとの利用金額及びユーザの利用金額を算出し、各アプリケーションサービスプロバイダとユーザに対して決済処理を行う情報処理部と、
を有することを特徴とするサーバ装置。
【請求項５】
コンピュータに、
前記ユーザ端末から、前記ネットワークを介して前記使用カテゴリを含むアプリケーション検索要求を受信する処理と、
前記受信した使用カテゴリに基づき、複数のアプリケーションサービスプロバイダと、該アプリケーションサービスプロバイダが提供する複数のアプリケーションと、該アプリケーションの使用料金と、該アプリケーションの使用カテゴリとを対応付けて記憶するアプリケーションサービスプロバイダ登録データベースを検索する処理と、
該当する複数のアプリケーション選択画面を前記ユーザ端末に送信する処理と、
前記ユーザ端末から前記第１のアプリケーション実行要求を受信すると、該第１のアプリケーションを実行すると共に利用時刻管理ファイルに該実行開始時刻を前記第１のアプリケーションと対応づけて記録する処理と、
他のアプリケーションの実行要求を前記ユーザ端末から受信したかどうかをチェックする処理と、
前記ユーザ端末から該第１アプリケーションとデータ共有できる前記第２のアプリケーション実行要求を受信すると、該第２のアプリケーションを実行すると共に前記利用時刻管理ファイルに該実行開始時刻を前記第２のアプリケーションと対応づけて記録する処理と、
前記ユーザ端末との回線が切断されたことを検出すると、前記利用時刻管理ファイルに前記第１のアプリケーション及び第２のアプリケーションの実行終了時刻を各々前記第１のアプリケーションと前記第２のアプリケーションに対応付けて記録する処理と、
前記第１、第２のアプリケーションについて前記利用時刻管理ファイルに記録された前記実行開始時刻と前記実行終了時刻からアプリケーション実行時間を算出し、該算出したアプリケーション実行時間と前記アプリケーションサービスプロバイダ登録データベースに記憶されている前記アプリケーションの使用料金とから各アプリケーションサービスプロバイダごとの利用金額及びユーザの利用金額を算出し、各アプリケーションサービスプロバイダとユーザに対して決済処理と、
を実行させるためのプログラム。
【請求項６】
コンピュータに、
前記ユーザ端末から、前記ネットワークを介して前記使用カテゴリを含むアプリケーション検索要求を受信する処理と、
前記受信した使用カテゴリに基づき、複数のアプリケーションサービスプロバイダと、該アプリケーションサービスプロバイダが提供する複数のアプリケーションと、該アプリケーションの使用料金と、該アプリケーションの使用カテゴリとを対応付けて記憶するアプリケーションサービスプロバイダ登録データベースを検索する処理と、
該当する複数のアプリケーション選択画面を前記ユーザ端末に送信する処理と、
前記ユーザ端末から前記第１のアプリケーション実行要求を受信すると、該第１のアプリケーションを実行すると共に利用時刻管理ファイルに該実行開始時刻を前記第１のアプリケーションと対応づけて記録する処理と、
他のアプリケーションの実行要求を前記ユーザ端末から受信したかどうかをチェックする処理と、
前記ユーザ端末から該第１アプリケーションとデータ共有できる前記第２のアプリケーション実行要求を受信すると、該第２のアプリケーションを実行すると共に前記利用時刻管理ファイルに該実行開始時刻を前記第２のアプリケーションと対応づけて記録する処理と、
前記ユーザ端末との回線が切断されたことを検出すると、前記利用時刻管理ファイルに前記第１のアプリケーション及び第２のアプリケーションの実行終了時刻を各々前記第１のアプリケーションと前記第２のアプリケーションに対応付けて記録する処理と、
前記第１、第２のアプリケーションについて前記利用時刻管理ファイルに記録された前記実行開始時刻と前記実行終了時刻からアプリケーション実行時間を算出し、該算出したアプリケーション実行時間と前記アプリケーションサービスプロバイダ登録データベースに記憶されている前記アプリケーションの使用料金とから各アプリケーションサービスプロバイダごとの利用金額及びユーザの利用金額を算出し、各アプリケーションサービスプロバイダとユーザに対して決済処理と、
を実行させるためのプログラムを格納したコンピュータ読取可能な記憶媒体。